(57)【要約】【課題】サブウーハースピーカ装置からＳＬ，ＳＲ用スピーカ対応音声信号を電波に乗せて送信するように構成し、また、ＳＬ，ＳＲ用スピーカをモジュール化して構成するオーディオシステムを提供する。【解決手段】ＡＶレシーバはＤＶＤプレーヤまたはチューナからの音声信号を入力してユーザ操作により設定された音声パターンおよび音量を示す音声信号を各スピーカに対応させて生成する。ＡＶレシーバに接続されるサブウーハ−スピーカ装置はＳＬ，ＳＲ用スピーカ対応音声信号を除く他の各スピーカ対応音声信号を増幅する。サブウーハースピーカ装置はＳＬ，ＳＲ用スピーカ対応音声信号を電波に乗せて送信する。リアスピーカ装置は電波を受信し、元のＳＬ，ＳＲ用スピーカ対応音声信号を取り出し増幅してＳＬ，ＳＲ用スピーカで音声化する。【選択図】図６
2007134943.tif 000002
【特許請求の範囲】
【請求項１】
少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、
再生装置またはチューナからの音声信号を入力して、ユーザ操作により設定された音声パターンおよび音量を示す音声信号を前記各スピーカに対応させて生成する音声生成装置と、
サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路と、背面左側用スピーカ対応音声信号および背面右側用スピーカ対応音声信号をデジタル音声信号に変換し更にＡＡＦＳ変調して電波として送信するモジュール化された送信部を有するサブウーハ−スピーカ装置と、
このサブウーハ−スピーカ装置からの電波を受信しＡＡＦＳ復調してデジタル音声信号を取り出し更にアナログ音声信号に変換するモジュール化された受信部と、この受信部からのアナログ音声信号を増幅して背面左側用スピーカおよび背面右側用スピーカに与えるリアスピーカ用音声増幅回路とを有するリアスピーカ装置と、を備えたことを特徴とするオーディオシステム。
【請求項２】
少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、
再生装置またはチューナからの音声信号を入力して、ユーザ操作により設定された音声パターンおよび音量を示す音声信号を前記各スピーカに対応させて生成する音声生成装置と、
サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路とを有するサブウーハ−スピーカ装置と、
前記サブウーハースピーカ装置に設けられ、背面左側用スピーカ対応音声信号および背面右側用スピーカ対応音声信号をデジタル音声信号に変換し更にＡＡＦＳ変調して電波として送信するモジュール化された送信部と、
モジュール化して構成された背面左側用スピーカおよび背面右側用スピーカと、前記送信部からの電波を受信しＡＡＦＳ復調してデジタル音声信号を取り出し更にアナログ音声信号に変換するモジュール化された受信部と、この受信部からのアナログ音声信号を増幅して背面左側用スピーカおよび背面右側用スピーカに与えるリアスピーカ用音声増幅回路とを有するリアスピーカ装置と、を備えたことを特徴とするオーディオシステム。
【請求項３】
少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、
再生装置またはチューナからの音声信号を入力して、ユーザ操作により設定された音声パターンおよび音量を示す音声信号を前記各スピーカに対応させて生成する音声生成装置と、
サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路と、背面左側用スピーカ対応音声信号および背面右側用スピーカ対応音声信号を変調して電波として送信する送信部とを有するサブウーハ−スピーカ装置と、
このサブウーハ−スピーカ装置からの電波を受信し元の音声信号に復調する受信部と、この受信部からの音声信号を増幅して背面左側用スピーカおよび背面右側用スピーカに与えるリアスピーカ用音声増幅回路とを有するリアスピーカ装置と、を備えたことを特徴とするオーディオシステム。
【請求項４】
少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、
再生装置またはチューナからの音声信号を入力して、ユーザ操作により設定された音声パターンおよび音量を示す音声信号を前記各スピーカに対応させて生成する音声生成装置と、
サブウーハ−スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路とを有するサブウーハ−スピーカ装置と、
所定の装置に設けられ、背面左側用スピーカ対応音声信号および背面右側用スピーカ対応音声信号を変調して電波として送信する送信部と、
モジュール化して構成された背面左側用スピーカおよび背面右側用スピーカと、前記送信部からの電波を受信し元の音声信号に復調する受信部と、この受信部からの音声信号を増幅して背面左側用スピーカおよび背面右側用スピーカに与えるリアスピーカ用音声増幅回路とを有するリアスピーカ装置と、を備えたことを特徴とするオーディオシステム。
【請求項５】
前記送信部は、背面左側用スピーカ対応音声信号および背面右側用スピーカ対応音声信号をデジタル音声信号に変換し更にスペクトラム拡散変調して電波として送信する回路であり、前記受信部は、サブウーハ−スピーカ装置または所定の装置からの電波を受信しスペクトラム拡散復調してデジタル音声信号を取り出し更にアナログ音声信号に変換する回路であることを特徴とする請求項３または請求項４に記載のオーディオシステム。
【請求項６】
前記送信部および前記受信部をモジュール化して構成したことを特徴とする請求項３または請求項４または請求項５に記載のオーディオシステム。
【請求項７】
前記スペクトラム拡張変調としてはＡＡＦＳ変調を用い、前記スペクトラム拡張復調としてはＡＡＦＳ復調を用いることを特徴とする請求項５に記載のオーディオシステム。
【請求項８】
前記所定の装置とは、サブウーハースピーカ装置であることを特徴する請求項４に記載のオーディオシステム。
【発明の詳細な説明】
【技術分野】
【０００１】
本発明は、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムに関する。
【背景技術】
【０００２】
近年、映画などのような大量の情報を記録できる光ディスクであるＤＶＤ（デジタル・バーサタイル・ディスク）が普及しており、このようなＤＶＤはＤＶＤプレーヤなどで情報が再生される。このようなＤＶＤプレーヤとオーディオシステムとを組み合わせてホームシアターを構成した場合、映画館や劇場などで映画やコンサートを視聴するのに近い音響効果を得ることができる。
【０００３】
従来からオーディオシステムでは、ドルビーデジタルやＤＴＳ（Digital Theater System）などによる５.１ チャンネルの音声を再生できるように、視聴者の位置に対して、例えば、前面左側に配置される前面左側用スピーカとしてのＦＬ（フロントレフト）用スピーカ、前面右側に配置される前面右側用スピーカとしてのＦＲ（フロントライト）用スピーカ、前面中央に配置される前面中央用スピーカとしてのＣＥＮ（センター）用スピーカ、任意の位置に配置されるＳＷ（サブウーハー）用スピーカ、背面左側に配置される背面左側スピーカとしてのＳＬ（サラウンドレフト）用スピーカ、および背面右側に配置される背面右側スピーカとしてのＳＲ（サラウンドライト）用スピーカを備えている。
【０００４】
例えば、特許文献１の従来技術では、リスニングルームにおいて、５.１ チャンネルのサウンドを実現するため、視聴者に対して前面中央に、ＤＶＤに記録された映像音声情報を再生するＤＶＤプレーヤと、このＤＶＤプレーヤの再生映像出力を受けて映像を表示するＴＶなどのディスプレイ装置と、ＤＶＤプレーヤの再生音声出力を受けて音声を出力するセンタースピーカ（前面中央用スピーカ）とがそれぞれ配置される。また、視聴者の前面左右には、フロント左スピーカ（前面左側用スピーカ）およびフロント右スピーカ（前面右側用スピーカ）が配置され、視聴者の背面左右には、リア左スピーカ（背面左側スピーカ）およびリア右スピーカ（背面右側スピーカ）が配置され、また、任意の位置にサブウーハースピーカ（サブウーハー用スピーカ）が配置される。このような従来技術は、このようなスピーカの配置により、５.１ チャンネルの音声出力が実現される。
【特許文献１】実登３０７２０５７号公報
【特許文献２】特開２００５−６５２８８号公報
【特許文献３】特開２００５−２３６４０４号公報
【特許文献４】特開２００１−２７５１９４号公報
【特許文献５】特開２００２−１６５６３号公報
【特許文献６】実開平６−３８３３８号公報
【発明の開示】
【発明が解決しようとする課題】
【０００５】
ところで、特許文献１の従来技術において、センタースピーカを含むセンタースピーカ装置とフロント左スピーカを含むフロント左スピーカ装置とフロント右スピーカを含むフロント右スピーカ装置とは、ＤＶＤプレーヤにコード（信号ケーブル）で接続されるが、リア左スピーカを含むリア左スピーカ装置とリア右スピーカを含むリア右スピーカ装置とは、ＤＶＤプレーヤには直接接続されず、ＤＶＤプレーヤからの電波により無線で音声信号がリア左スピーカ装置とリア右スピーカ装置とに送られるようになっている。
【０００６】
ＤＶＤプレーヤでは、リア左スピーカ装置とリア右スピーカ装置とに無線で音声信号を送るため、オーディオ出力回路のリア左スピーカ装置とリア右スピーカ装置とに対する音声信号を変調して無線にて伝送するための送信部が設けられている。一方、リア左スピーカ装置とリア右スピーカ装置には、ＤＶＤプレーヤから無線伝送されてきた変調音声信号を復調する復調回路が設けられている。
【０００７】
しかしながら、この従来技術では、リア左スピーカ装置とリア右スピーカ装置とは、別々に構成されているため、ＤＶＤプレーヤから無線で送られてきた音声信号を受信して復調する回路を含む受信部がそれぞれ個別に必要となり、また、スピーカボックスも個別に設けなければならないので、この分、コストアップする傾向がある。また、通常、ホームシアターを構成する場合、音響効果を高めるため、ＤＶＤプレーヤと各スピーカ装置との間に、イコライザなどを含むＡＶ（Audio Visual）レシーバを接続するのが一般的にあるが、この従来技術では、ＡＶレシーバが開示されていないので、ＡＶレシーバを含むオーディオシステムに比べ、音響効果が劣ることになる。また、この従来技術では、背面左側用スピーカ対応音声信号および背面右側用スピーカ対応音声信号を電波に乗せて送信する送信部がＤＶＤプレーヤに設けられているが、この送信部の分だけＤＶＤプレーヤの回路が複雑化し、ＤＶＤプレーヤ自体のコストアップにも繋がる。
【０００８】
特許文献２の従来技術は、少なくとも１つのマスタから、種々の空間位置に配置され、データをほぼ同時に受信するように構成された１つ以上のスレーブ（スピーカ装置）にデータを送信するものであり、送信する被変調波が、代表的信号、補助データ、管理データと言うようなネットワークを意識したデータを被変調波としている。しかし、この従来技術は、前面左側用スピーカ、前面右側用スピーカ、前面中央用スピーカ、サブウーハー用スピーカ、背面左側用スピーカ、および背面右側用スピーカのうち、背面左側用スピーカおよび背面右側用スピーカに対してのみ無線で音声信号を伝送するように構成したものではない。
【０００９】
特許文献３の従来技術では、５.１ チャンネルサラウンド方式の場合、視聴者の前面側に４台のスピーカが配置され、背面側に２台のスピーカが配置され、システム本体から背面側の各リアスピーカに音声信号を電波で送信するようにしたものであるが、各リアスピーカは別々に構成されているため、センタースピーカが内蔵されたスピーカシステム本体から無線で送られてきた音声信号を受信して復調する回路を含む受信部がそれぞれ個別に必要となり、また、スピーカボックスも個別に設けなければならないので、この分、コストアップする傾向がある。
【００１０】
特許文献４の従来技術では、情報送信装置から受信機能付きスピーカ装置にデータ列を無線方式で送信するようにしているが、この無線方式としては赤外線を用いているので、遮蔽物で赤外線が遮断され、受信機能付きスピーカ装置に届かないようなことが生じる場合がある。したがって、この従来技術では、常に、情報送信装置と受信機能付きスピーカ装置との間に、遮蔽物を置かないように気遣う必要がある。また、背面左側用スピーカ装置に相当するスピーカ装置と背面右側用スピーカ装置に相当するスピーカ装置とは、別々に構成されることになるので、情報送信装置から無線で送られてきた音声信号を受信して復調する回路を含む受信部がそれぞれ個別に必要となり、また、スピーカボックスも個別に設けなければならないので、この分、コストアップする傾向がある。
【００１１】
特許文献５の従来技術では、左前スピーカモジュール、右前スピーカモジュール、左サラウンドスピーカモジュール、右サラウンドスピーカモジュール、中央スピーカモジュール、サブウーハーモジュールが、それぞれ配置され、デジタルオーディオ符号器／送信機から無線で送信されてきた音声信号により、オーディオシステムが音声を出力するように構成されているが、左前スピーカモジュール（前面左側用スピーカ装置）、右前スピーカモジュール（前面右側用スピーカ装置）、中央スピーカモジュール（前面中央用スピーカ装置）、サブウーハーモジュール（サブウーハー用スピーカ装置）、左サラウンドスピーカモジュール（背面左側用スピーカ装置）、右サラウンドスピーカモジュール（背面右側用スピーカ装置）のうち、左サラウンドスピーカモジュール（背面左側用スピーカ装置）および右サラウンドスピーカモジュール（背面右側用スピーカ装置）のみに対しては無線で音声信号を伝送するように構成したものではない。また、左サラウンドスピーカモジュール（背面左側用スピーカ装置）と右サラウンドスピーカモジュール（背面右側用スピーカ装置）とは、別々に構成されることになるので、情報送信装置から無線で送られてきた音声信号を受信して復調する回路を含む受信部がそれぞれ個別に必要となり、また、スピーカボックスも個別に設けなければならないので、この分、コストアップする傾向がある。
【００１２】
特許文献６の従来技術では、他方側チャンネルの音声信号を、一方側スピーカ内の低周波増幅器、ＦＭ変調器及び送信部を介し、無線送信を行うように構成されているが、この従来技術も、前面左側用スピーカ、前面右側用スピーカ、前面中央用スピーカ、サブウーハー用スピーカ、背面左側用スピーカ、背面右側用スピーカのうち、背面左側用スピーカおよび背面右側用スピーカに対してのみ無線で音声信号を伝送するように構成したものではない。
【００１３】
本発明は、上記のような課題を解決するためになされたもので、サブウーハースピーカ装置から背面左用スピーカ対応音声信号および背面右用スピーカ対応音声信号を電波に乗せて送信するように構成し、また、背面左側用スピーカと背面右側用スピーカをモジュール化して構成するオーディオシステムを提供することを目的とする。
【課題を解決するための手段】
【００１４】
上記目的を達成するために、請求項１の発明は、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路と、背面左側用スピーカ対応音声信号および背面右側用スピーカ対応音声信号をデジタル音声信号に変換し更にＡＡＦＳ変調して電波として送信するモジュール化された送信部とを有するサブウーハ−スピーカ装置を備え、更に、前記サブウーハ−スピーカ装置からの電波を受信しＡＡＦＳ復調してデジタル音声信号を取り出し更にアナログ音声信号に変換するモジュール化された受信部と、この受信部からのアナログ音声信号を増幅して背面左側用スピーカおよび背面右側用スピーカに与えるリアスピーカ用音声増幅回路とを有するリアスピーカ装置を備えたことを特徴とするオーディオシステムを提供する。
【００１５】
この構成において、音声生成装置は、再生装置またはチューナからの音声信号を入力してユーザ操作により設定された音声パターンおよび音量を示す音声信号を各スピーカに対応させて生成する。サブウーハ−スピーカ装置において、音声増幅回路は、前記音声生成装置からの前面左側用スピーカ対応音声信号と前面右側用スピーカ対応音声信号と前面中央用スピーカ対応音声信号とサブウーハー用スピーカ対応音声信号を増幅し、サブウーハ−用スピーカは、前記増幅されたサブウーハー用スピーカ対応音声信号により、ウーハー音声を出力する。また、サブウーハースピーカ装置における送信部は、背面左側用スピーカ対応音声信号および背面右側用スピーカ対応音声信号をデジタル音声信号に変換し、更にＡＡＦＳ変調して電波として送信する。リアスピーカ装置では、受信部は、前記サブウーハ−スピーカ装置からの電波を受信し、ＡＡＦＳ復調してデジタル音声信号を取り出し、更にアナログ音声信号に変換し、リアスピーカ用音声増幅回路は、受信部からのアナログ音声信号を増幅して背面左側用スピーカおよび背面右側用スピーカに与える。これにより、背面左側用スピーカからは背面左側用音声が出力され、背面右側用スピーカからは背面右側用音声が出力される。
【００１６】
この構成によれば、サブウーハースピーカ装置は、任意の位置に配置できるので、サブウーハースピーカ装置からの電波がリアスピーカ装置に十分に届くようにサブウーハースピーカ装置を配置することができ、また、送信部はモジュール化されているので、送信部の回路基板は小さくて済み、サブウーハースピーカ装置内の空いているスペースに設けることができる。また、受信部のモジュール化により、受信部の回路基板は小さくて済み、サブウーハースピーカ装置の空きスペースに設けることができ、また、受信部は、２系統の音声信号を出力することができるので、１個のリアスピーカ装置内に２個のスピーカ（背面左側用スピーカと背面右側用スピーカ）を収めることが可能になる。また、ＡＡＦＳ変調で音声信号を送信しているので、外来ノイズの影響を受けにくくなり、音質の向上も図れる。
【００１７】
請求項２の発明は、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路とを有するサブウーハ−スピーカ装置を備え、更に、サブウーハースピーカ装置に設けられ背面左側用スピーカ対応音声信号および背面右側用スピーカ対応音声信号をデジタル音声信号に変換し更にＡＡＦＳ変調して電波として送信するモジュール化された送信部を備えると共に、モジュール化して構成された背面左側用スピーカおよび背面右側用スピーカと、前記送信部からの電波を受信しＡＡＦＳ復調してデジタル音声信号を取り出し更にアナログ音声信号に変換するモジュール化された受信部と、この受信部からのアナログ音声信号を増幅して背面左側用スピーカおよび背面右側用スピーカに与えるリアスピーカ用音声増幅回路とを有するリアスピーカ装置を備えたことを特徴とするオーディオシステムを提供する。
【００１８】
この構成において、音声生成装置は、再生装置またはチューナからの音声信号を入力してユーザ操作により設定された音声パターンおよび音量を示す音声信号を各スピーカに対応させて生成する。サブウーハ−スピーカ装置において、音声増幅回路は、前記音声生成装置からの前面左側用スピーカ対応音声信号と前面右側用スピーカ対応音声信号と前面中央用スピーカ対応音声信号とサブウーハー用スピーカ対応音声信号を増幅し、サブウーハ−用スピーカは、前記増幅されたサブウーハー用スピーカ対応音声信号により、ウーハー音声を出力する。また、サブウーハースピーカ装置に設けられた送信部は、背面左側用スピーカ対応音声信号および背面右側用スピーカ対応音声信号をデジタル音声信号に変換し、更にＡＡＦＳ変調して電波として送信する。リアスピーカ装置において、受信部は、前記サブウーハースピーカ装置からの電波を受信し、ＡＡＦＳ復調してデジタル音声信号を取り出し、更にアナログ音声信号に変換し、リアスピーカ用音声増幅回路は、受信部からのアナログ音声信号を増幅して背面左側用スピーカおよび背面右側用スピーカに与える。これにより、背面左側用スピーカからは背面左側用音声が出力され、背面右側用スピーカからは背面右側用音声が出力される。
【００１９】
この構成によれば、サブウーハースピーカ装置は、任意の位置に配置できるので、サブウーハースピーカ装置からの電波がリアスピーカ装置に十分に届くようにサブウーハースピーカ装置を配置することができ、また、送信部はモジュール化されているので、送信部の回路基板は小さくて済み、サブウーハースピーカ装置内の空いているスペースに設けることができる。また、受信部のモジュール化により、受信部の回路基板は小さくて済み、サブウーハースピーカ装置の空きスペースに設けることができる。また、ＡＡＦＳ変調により音声信号を送信しているので、外来ノイズの影響を受けにくくなり、音質の向上も図れる。
【００２０】
また、この構成によれば、受信部は、２系統の音声信号を出力することができるので、１個のリアスピーカ装置内に２個のスピーカ（背面左側用スピーカと背面右側用スピーカ）を収めることができ、リアスピーカ装置としては従来のように２個のリアスピーカ装置を設ける必要がなくなり、これにより、スピーカボックスも１つで済み、この分、コストダウンも図れる。また、従来のようにリアスピーカ装置が２個あれば、部屋のスペースも余分にとるが、リアスピーカ装置が１個であれば、配置するスペースも少なくて済み、部屋のスペースを有効に活用することもできる。
【００２１】
請求項３の発明は、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路と、背面左側用スピーカ対応音声信号および背面右側用スピーカ対応音声信号を変調して電波として送信する送信部とを有するサブウーハ−スピーカ装置を備え、更に、前記サブウーハ−スピーカ装置からの電波を受信し元の音声信号に復調する受信部と、この受信部からの音声信号を増幅して背面左側用スピーカおよび背面右側用スピーカに与えるリアスピーカ用音声増幅回路とを有するリアスピーカ装置を備えたことを特徴とするオーディオシステムを提供する。
【００２２】
この構成において、音声生成装置は、再生装置またはチューナからの音声信号を入力してユーザ操作により設定された音声パターンおよび音量を示す音声信号を前記各スピーカに対応させて生成する。サブウーハ−スピーカ装置において、音声増幅回路は、前記音声生成装置からの前面左側用スピーカ対応音声信号と前面右側用スピーカ対応音声信号と前面中央用スピーカ対応音声信号とサブウーハー用スピーカ対応音声信号を増幅し、サブウーハ−用スピーカは、前記増幅されたサブウーハー用スピーカ対応音声信号により、ウーハー音声を出力する。また、サブウーハースピーカ装置における送信部は、背面左側用スピーカ対応音声信号および背面右側用スピーカ対応音声信号を変調して電波として送信する。リアスピーカ装置において、受信部は、前記サブウーハ−スピーカ装置からの電波を受信し、復調して元の音声信号を取り出し、リアスピーカ用音声増幅回路は、受信部からの音声信号を増幅して背面左側用スピーカおよび背面右側用スピーカに与える。これにより、背面左側用スピーカからは背面左側用音声が出力され、背面右側用スピーカからは背面右側用音声が出力される。
【００２３】
この構成によれば、サブウーハースピーカ装置は、任意の位置に配置できるので、サブウーハースピーカ装置から電波がリアスピーカ装置に十分に届くようにサブウーハースピーカ装置を配置することができる。また、受信部は、２系統の音声信号を出力することができるので、１個のリアスピーカ装置内に２個のスピーカを収めることが可能になる。
【００２４】
請求項４の発明は、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路とを有するサブウーハ−スピーカ装置を備え、更に、所定の装置に設けられ背面左側用スピーカ対応音声信号および背面右側用スピーカ対応音声信号を変調して電波として送信する送信部を備えると共に、モジュール化して構成された背面左側用スピーカおよび背面右側用スピーカと、前記送信部からの電波を受信し元の音声信号に復調する受信部と、この受信部からの音声信号を増幅して背面左側用スピーカおよび背面右側用スピーカに与えるリアスピーカ用音声増幅回路とを有するリアスピーカ装置を備えたことを特徴とするオーディオシステムを提供する。
【００２５】
この構成において、音声生成装置は、再生装置またはチューナからの音声信号を入力してユーザ操作により設定された音声パターンおよび音量を示す音声信号を各スピーカに対応させて生成する。サブウーハ−スピーカ装置において、音声増幅回路は、前記音声生成装置からの前面左側用スピーカ対応音声信号と前面右側用スピーカ対応音声信号と前面中央用スピーカ対応音声信号とサブウーハー用スピーカ対応音声信号を増幅し、サブウーハ−用スピーカは、前記増幅されたサブウーハー用スピーカ対応音声信号により、ウーハー音声を出力する。また、サブウーハースピーカ装置に設けられた送信部は、背面左側用スピーカ対応音声信号および背面右側用スピーカ対応音声信号を変調して電波として送信する。リアスピーカ装置において、受信部は、前記サブウーハースピーカ装置からの電波を受信し、復調して元の音声信号を取り出し、リアスピーカ用音声増幅回路は、受信部からのアナログ音声信号を増幅して背面左側用スピーカおよび背面右側用スピーカに与える。これにより、背面左側用スピーカからは背面左側用音声が出力され、背面右側用スピーカからは背面右側用音声が出力される。
【００２６】
この構成によれば、サブウーハースピーカ装置は、任意の位置に配置できるので、サブウーハースピーカ装置から電波がリアスピーカ装置に十分に届くようにサブウーハースピーカ装置を配置することができる。また、受信部は、２系統の音声信号を出力することができるので、１個のリアスピーカ装置内に２個のスピーカを収めることができ、リアスピーカ装置としては従来のように２個のリアスピーカ装置を設ける必要がなくなり、これにより、スピーカボックスも１つで済み、この分、コストダウンも図れる。また、従来のようにリアスピーカ装置が２個あれば、部屋のスペースも余分にとるが、リアスピーカ装置が１個であれば、配置するスペースも少なくて済み、部屋のスペースを有効に活用することもできる。
【００２７】
請求項５の発明では、請求項３または請求項４の発明において、前記送信部は、背面左側用スピーカ対応音声信号および背面右側用スピーカ対応音声信号をデジタル音声信号に変換し更にスペクトラム拡散変調して電波として送信する回路であり、前記受信部は、サブウーハ−スピーカ装置または所定の装置からの電波を受信しスペクトラム拡散復調してデジタル音声信号を取り出し更にアナログ音声信号に変換する回路であるので、前記受信部では、前記送信部での背面左側用スピーカ対応音声信号および背面右側用スピーカ対応音声信号を精度良く再現でき、音質が良好なものが得られる。
【００２８】
請求項６の発明では、請求項３または請求項４または請求項５において、前記送信部および前記受信部をモジュール化して構成したので、送信部の回路基板および受信部の回路基板は小さくて済み、送信部はサブウーハースピーカ装置内の空いているスペースに設けることができる。また、受信部は、リアスピーカ装置の空きスペースに設けることができる。
【００２９】
請求項７の発明では、請求項５の発明において、前記スペクトラム拡張変調としてはＡＡＦＳ変調を用い、前記スペクトラム拡張復調としてはＡＡＦＳ復調を用いるので、外来ノイズに影響されることなく、送信部から受信部に信号を無線伝送することができる。
【００３０】
請求項８の発明では、請求項４の発明において、前記所定の装置とは、サブウーハースピーカ装置であるので、サブウーハースピーカ装置は任意の位置に配置でき、サブウーハースピーカ装置から電波がリアスピーカ装置に十分に届くようにサブウーハースピーカ装置を配置することができる。
【発明の効果】
【００３１】
以上のように本発明によれば、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路と、背面左側用スピーカ対応音声信号および背面右側用スピーカ対応音声信号をデジタル音声信号に変換し更にＡＡＦＳ変調して電波として送信するモジュール化された送信部とを有するサブウーハ−スピーカ装置を備え、更に、前記サブウーハ−スピーカ装置からの電波を受信しＡＡＦＳ復調してデジタル音声信号を取り出し更にアナログ音声信号に変換するモジュール化された受信部と、この受信部からのアナログ音声信号を増幅して背面左側用スピーカおよび背面右側用スピーカに与えるリアスピーカ用音声増幅回路とを有するリアスピーカ装置を備えて構成した。
【００３２】
したがって、サブウーハースピーカ装置は任意の位置に配置できるので、サブウーハースピーカ装置からの電波がリアスピーカ装置に十分に届くようにサブウーハースピーカ装置を配置することができ、また、送信部はモジュール化されているので、送信部の回路基板は小さくて済み、サブウーハースピーカ装置内の空いているスペースに設けることができる。また、受信部のモジュール化により、受信部の回路基板は小さくて済み、サブウーハースピーカ装置の空きスペースに設けることができ、また、受信部は、２系統の音声信号を出力することができるので、１個のリアスピーカ装置内に２個のスピーカを収めることが可能になる。また、ＡＡＦＳ変調およびＡＡＦＳ復調を行っているので、送信部からの信号は、外来ノイズの影響を受けにくくなり、リアスピーカ装置のスピーカの音声出力の音質の向上も図れる。
【００３３】
また、本発明によれば、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路とを有するサブウーハ−スピーカ装置を備えると共に、サブウーハースピーカ装置に設けられ背面左側用スピーカ対応音声信号および背面右側用スピーカ対応音声信号をデジタル音声信号に変換し更にＡＡＦＳ変調して電波として送信するモジュール化された送信部を備え、更に、モジュール化して構成された背面左側用スピーカおよび背面右側用スピーカと、前記送信部からの電波を受信しＡＡＦＳ復調してデジタル音声信号を取り出し更にアナログ音声信号に変換するモジュール化された受信部と、この受信部からのアナログ音声信号を増幅して背面左側用スピーカおよび背面右側用スピーカに与えるリアスピーカ用音声増幅回路とを有するリアスピーカ装置を備えて構成した。
【００３４】
したがって、サブウーハースピーカ装置は、任意の位置に配置できるので、サブウーハースピーカ装置からの電波がリアスピーカ装置に十分に届くようにサブウーハースピーカ装置を配置することができ、また、送信部はモジュール化されているので、送信部の回路基板は小さくて済み、サブウーハースピーカ装置内の空いているスペースに設けることができる。また、ＡＡＦＳ変調およびＡＡＦＳ復調を行っているので、送信部からの信号は外来ノイズの影響を受けにくくなり、リアスピーカ装置のスピーカの音声出力の音質の向上も図れる。
【００３５】
また、受信部は、２系統の音声信号を出力することができるので、１個のリアスピーカ装置内に２個のスピーカを収めることができ、リアスピーカ装置としては従来のように２個のリアスピーカ装置を設ける必要がなくなり、これにより、スピーカボックスも１つで済み、この分、コストダウンも図れる。また、従来のようにリアスピーカ装置が２個あれば、部屋のスペースも余分にとるが、リアスピーカ装置が１個であれば、配置するスペースも少なくて済み、部屋のスペースを有効に活用することもできる。
【００３６】
また、本発明によれば、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−用スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路と、背面左側用スピーカ対応音声信号および背面右側用スピーカ対応音声信号を変調して電波として送信する送信部とを有するサブウーハ−スピーカ装置を備え、更に、前記サブウーハ−スピーカ装置からの電波を受信し元の音声信号に復調する受信部と、この受信部からの音声信号を増幅して背面左側用スピーカおよび背面右側用スピーカに与えるリアスピーカ用音声増幅回路とを有するリアスピーカ装置を備えて構成した。
【００３７】
したがって、サブウーハースピーカ装置は、任意の位置に配置できるので、サブウーハースピーカ装置からの電波がリアスピーカ装置に十分に届くようにサブウーハースピーカ装置を配置することができる。また、受信部は、２系統の音声信号を出力することができるので、１個のリアスピーカ装置内に２個のスピーカを収めることが可能になる。
【００３８】
また、本発明によれば、少なくとも、前面左側用スピーカ、前面右側用スピーカ、前面中央用スピーカ、サブウーハー用スピーカ、背面左側用スピーカ、および背面右側用スピーカに対して音声信号を伝送して音声を出力するオーディオシステムにおいて、再生装置またはチューナからの音声信号を入力してユーザ操作により設定された音声パターンおよび音量を示す音声信号を前記各スピーカに対応させて生成する音声生成装置を備えると共に、サブウーハ−スピーカと、前記音声生成装置からの前面左側用スピーカ対応音声信号と前面右側用スピーカ対応音声信号と前面中央用スピーカ対応音声信号とサブウーハー用スピーカ対応音声信号を増幅する音声増幅回路とを有するサブウーハ−スピーカ装置を備え、更に、所定の装置に設けられ背面左側用スピーカ対応音声信号および背面右側用スピーカ対応音声信号を変調して電波として送信する送信部を備えると共に、モジュール化して構成された背面左側用スピーカおよび背面右側用スピーカと、前記送信部からの電波を受信し元の音声信号に復調する受信部と、この受信部からの音声信号を増幅して背面左側用スピーカおよび背面右側用スピーカに与えるリアスピーカ用音声増幅回路とを有するリアスピーカ装置を備えて構成した。
【００３９】
したがって、サブウーハースピーカ装置は、任意の位置に配置できるので、サブウーハースピーカ装置からの電波がリアスピーカ装置に十分に届くようにサブウーハースピーカ装置を配置することができる。また、受信部は、２系統の音声信号を出力することができるので、１個のリアスピーカ装置内に２個のスピーカを収めることができ、リアスピーカ装置としては従来のように２個のリアスピーカ装置を設ける必要がなくなり、これにより、スピーカボックスも１つで済み、この分、コストダウンも図れる。また、従来のようにリアスピーカ装置が２個あれば、部屋のスペースも余分にとるが、リアスピーカ装置が１個であれば、配置するスペースも少なくて済み、部屋のスペースを有効に活用することもできる。
【発明を実施するための最良の形態】
【００４０】
以下、添付図面を参照しつつ、本発明の実施の形態について説明する。図１は本発明の一実施形態に係るオーディオシステムに接続されるＤＶＤプレーヤの構成を示す回路ブロック図である。
【００４１】
このＤＶＤプレーヤＡは、ディスクメカユニット１、マイクロプロセッサ２、ＳＥＬ（セレクタ）３、ＤＡＣ（デジタル・アナログ・コンバータ）４，５，６，７、ＬＰＦ（ロー・パス・フィルタ）８、およびビデオアンプ９を備えている。
【００４２】
ディスクメカユニット１は、装填されたＤＶＤやＣＤを回転させ、図示しない光ピックアップによりＤＶＤやＣＤから記録信号を読み取って出力する。マイクロプロセッサ２は、ＯＳＤ（オン・スクリーン・ディスプレイ）コントローラ、ＡＶデコーダ、およびフロントエンドコントローラの機能を有し、ディスクメカユニット１からの記録信号をデコードして映像信号と音声信号を再生し、音声信号をＳＥＬ（セレクタ）３およびＤＡＣ（デジタル・アナログ・コンバータ）５，６，７に供給すると共に、映像信号をビデオアンプ９に供給する。
【００４３】
また、マイクロプロセッサ２は、ＡＶレシーバＢ（図２参照）のマイクロプロセッサ２０からラインＬ８を介して入力されたＤＶＤ／ＲＡＤＩＯ信号によりＤＶＤプレーヤＡを動作させたり、図示しないラジオチューナを動作させたりする。ＤＶＤ／ＲＡＤＩＯ信号は、ＤＶＤを示している場合、ＤＶＤプレーヤの主電源をオンすると共にラジオの主電源をオフし、ＲＡＤＩＯを示している場合、ＤＶＤプレーヤの主電源をオフすると共にラジオの主電源をオンする。
【００４４】
また、マイクロプロセッサ２は、ＡＶレシーバＢのマイクロプロセッサ２０にラインＬ９を介してｍｏｄｅ（モード）信号を出力し、ＡＶレシーバＢの音声モード（ドルビーデジタルやＤＴＳ等）を切り換える。ｍｏｄｅ（モード）信号は、音声モードの状態を表示させるための元となる信号である。また、マイクロプロセッサ２は、ＡＶレシーバＢのマイクロプロセッサ２０からラインＬ７を介して入力されたｓｕｒｒｏｕｎｄ（サラウンド）信号により、ＳＥＬ（セレクタ）３の入力をＤＡＣ７への入力ライン側に切り換えて、サラウンドに設定する。
【００４５】
ＤＡＣ（デジタル・アナログ・コンバータ）４，５，６，７は、ＰＣＭ（パルス符号変調）でマイクロプロセッサ２から出力された２ｃｈ（チャンネル）の音声信号を２ｃｈのアナログ音声信号に変換する。ＬＰＦ８は、ＤＡＣ７からの２ｃｈの音声信号の復調ノイズをカットして２ｃｈの音声信号をＭＬ（モニタ・レフト）音声信号およびＭＲ（モニタ・ライト）音声信号として出力し、ＴＶモニタＫの音声回路を介してＴＶモニタＫ内の図示しない左右のスピーカに供給する。ビデオアンプ９は、マイクロプロセッサ２からの映像信号（Ｙ／Ｐｂ／Ｐｒ信号とＶｉｄｅｏ信号）を増幅してＴＶモニタＫへのＹ／Ｐｂ／Ｐｒ信号とＶｉｄｅｏ信号として出力する。
【００４６】
図２は本実施形態のオーディオシステムに含まれる音声生成装置としてのＡＶ（オーディオ・ビジュアル）レシーバの構成を示す回路ブロック図である。このＡＶレシーバは、ＤＶＤプレーヤなどのＡＶ機器からの音声信号を受けると言う意味でＡＶレシーバと言う。
【００４７】
図２において、ＡＶレシーバＢは、ＬＰＦ１０、増幅回路１１ａ、アナログスイッチ１１、ＬＥＤ１２、イコライザ１３、入力セレクタ＆擬似サラウンド回路１４、電子ボリューム１９、マイクロプロセッサ２０、リモコン受信制御回路２１、ＬＣＤドライバ２２、ＬＣＤ表示菅２３、ＥＥＰＲＯＭ２４、ラジオのチューナ２５、およびボリュームスイッチ２６を備えている。
【００４８】
ＬＰＦ１０は、ＤＶＤプレーヤＡ（図１参照）のＤＡＣ４，５，６からの各２ｃｈの音声信号を、ラインＬ１〜ラインＬ６を介して入力し、ＤＡＣ４，５，６での復調ノイズをカットして各２ｃｈの音声信号を出力する。ＬＰＦ１０から出力されたＦＬ音声信号（前面左側用スピーカ対応音声信号）とＦＲ音声信号（前面右側用スピーカ対応音声信号）とは、アナログスイッチ１１に入力され、ＬＰＦ１０から出力されたＳＬ音声信号（背面左側用スピーカ対応音声信号）とＳＲ音声信号（背面右側用スピーカ対応音声信号）とＣＥＮ音声信号（前面中央用スピーカ対応音声信号）とＳＷ音声信号（サブウーハー用スピーカ対応音声信号）とは、６ｃｈスイッチ１７に入力される。
【００４９】
アナログスイッチ１１は、チューナ２５とＤＶＤプレーヤＡとの動作の切り換えを行ったときに信号系列を切り換える。即ち、アナログスイッチ１１は、マイクロプロセッサ２０からのコントロール信号（ラインＬ８の信号）により、増幅回路１１ａからの信号（チューナ２５からのＬ音声信号およびＲ音声信号）と、ＬＰＦ１０からの信号（ＦＬ音声信号およびＦＲ音声信号）との何れかを選択して出力する。イコライザ１３は、コントロールＩ／Ｆ（インターフェイス）１３ａで受けたマイクロプロセッサ２０からのコントロール信号により、プリセットされた音声パターンでＬＲ系列の音声信号にイコライジングを与え、このイコライジングによるＬＲ系列の音声信号を入力セレクタ＆擬似サラウンド回路１４に入力する。
【００５０】
ＬＥＤ１２は、イコライザ１３によりイコライジングされた音声信号の複数に分割された周波数帯域毎の出力レベルを表示する。イコライザ１３の音声パターンとしては、音楽が、フラット／ノーマル、ロック、ポップス、クラシック、ジャズ、バスブースター（ＢＢ）などに対するものがあり、これらのイコライジング情報が予めイコライザ１３にプリセットされており、イコライザ１３は、イコライジング情報がマイクロプロセッサ２０からのコントロール信号で切り換えられることによって、イコライジング動作が制御される。
【００５１】
イコライザ１３から出力されたＦＬ音声信号およびＦＲ音声信号は、入力セレクタ＆擬似サラウンド回路１４に入力される。入力セレクタ＆擬似サラウンド回路１４は、入力信号の系統を切り換えるセレクタ１５、２ｃｈで入力された音声信号を６ｃｈの擬似的なサラウンド効果を与えるための音声信号を出力する６ｃｈシュミレータ＆オーディオセレクタ１６、入力音声信号の系統を切り換える（２ｃｈまたは６ｃｈの入力音声信号を切り換える）６ｃｈスイッチ１７、および前記６ｃｈシュミレータ＆オーディオセレクタ１６へのシュミレイト６ｃｈ制御信号や前記６ｃｈスイッチ１７への２ｃｈ／６ｃｈ切り換え制御信号をマイクロプロセッサ２０より与えるＩ２ＣＢｕｓインターフェイス１８を備え、擬似的なサラウンド効果が出るような音声信号を生成している。
【００５２】
電子ボリューム１９は、マイクロプロセッサ２０からの音量調整信号（例えば、０〜７９ｄＢの範囲でボリューム調整を行う６ｃｈボリューム制御信号）を、Ｉ２ＣＢｕｓインターフェイス１９ａより入力して、ボリューム調整を行う。電子ボリューム１９からは、ＦＬ音声信号、ＦＲ音声信号、ＳＬ音声信号、ＳＲ音声信号、ＣＥＮ音声信号、およびＳＷ音声信号が出力され、これらの音声信号は図３に示すサブウーハースピーカ装置Ｃに送られる。
【００５３】
マイクロプロセッサ２０は、前述したように、入力セレクタ＆擬似サラウンド回路１４、電子ボリューム１９、ＬＣＤドライバ２２、ＥＥＰＲＯＭ２４、およびチューナ２５に対して、Ｉ２Ｃバス（Ｉ２ＣＢｕｓ）Ｌを介して通信を行って制御しており、また、アナログスイッチ１１およびイコライザ１３に対しては、普通のポートで通信を行って制御している。マイクロプロセッサ２０から出力されるシリアルコム（Ｓｅｒｉａｌ  Ｃｏｍｍ）信号は、シリアルでＬＣＤドライバ２２に対して与える信号であり、ＬＣＤ表示菅２３にモード情報や操作情報を表示させるための信号である。ＬＣＤドライバ２２は、マイクロプロセッサ２０から表示信号がシリアルで与えられて、モード状態や操作情報をＬＣＤ表示管２３に表示させる。また、マイクロプロセッサ２０は、チューナ２５で受信した音声信号がステレオであった場合に、チューナ２５からステレオ識別信号を入力して、ステレオ音声に対応した処理を行う。
【００５４】
リモコン受信制御回路２１は、図示しないリモコン（リモートコントローラ）からの赤外線操作信号を受信し、電気信号の操作信号に変換してマイクロプロセッサ２０に操作信号を伝える。ＥＥＰＲＯＭ２４は、マイクロプロセッサ２０の動作に必要なプログラムや各ステータスを格納する。図示しないリモコンにより、ＡＶレシーバＢの動作モードをラジオモードに設定する操作が行われたときに、リモコンからのチューナ選択操作信号を受信したリモコン受信制御回路２１は、マイクロプロセッサ２０に対してチューナ選択操作信号を与え、これにより、マイクロプロセッサ２０は、チューナ２５を動作させ、チューナ２５からＬ音声信号とＲ音声信号を出力させる。また、このとき、アナログスイッチ１１は、チューナ２５からのＬ音声信号とＲ音声信号を選択するように切り換えられる。
【００５５】
このような構成を有するＡＶレシーバＢは、ＤＶＤモードに設定された場合、ＤＶＤプレーヤＡからの６ｃｈの音声信号がラインＬ１〜ラインＬ６を介して入力され、前述した各構成要素の動作により設定された６ｃｈの音声信号（ＦＬ音声信号、ＦＲ音声信号、ＳＬ音声信号、ＳＲ音声信号、ＣＥＮ音声信号、ＳＷ音声信号）を出力する。また、ＡＶレシーバＢは、ラジオモードに設定された場合、チューナ２５からの２ｃｈの音声信号を６ｃｈの音声信号（ＦＬ音声信号、ＦＲ音声信号、ＳＬ音声信号、ＳＲ音声信号、ＣＥＮ音声信号、ＳＷ音声信号）として出力する。
【００５６】
図３は本実施形態のオーディオシステムに含まれるサブウーハ−スピーカ装置およびリアスピーカ装置の構成を示す回路ブロック図である。
【００５７】
図３において、サブウーハ−スピーカ装置Ｃは、ＳＷ用スピーカＨと、ＡＶレシーバＢ（図２参照）からのＦＬ音声信号およびＦＲ音声信号を増幅してＦＬ用スピーカＥおよびＦＲ用スピーカＦにそれぞれ供給する音声信号アンプ２７と、ＡＶレシーバＢ（図２参照）からのＣＥＮ音声信号およびＳＷ音声信号を増幅してＣＥＮ用スピーカＧおよびＳＷ用スピーカＨにそれぞれ供給する音声信号アンプ２８と、ＳＬ音声信号およびＳＲ音声信号を周波数２.４５ ＧＭＨｚで帯域幅２６ＭＨｚのＩＳＭ帯域周波数の信号で変調するスペクトラム拡散方式の一種であるＡＡＦＳ(Advanced Adaptive Frequency Selection)方式で変調して電波をアンテナａ１より飛ばしてリアスピーカ装置Ｄに無線で送信するモジュール化された送信部２９とを備えている。なお、音声信号アンプ２７および音声信号アンプ２８は、別々に示したが、これらのアンプ２７，２８は、ワンチップにされ、４系統の音声信号アンプとなっている。また、サブウーハースピーカ装置Ｃ内の構成要素は一つの筐体に収められている。
【００５８】
リアスピーカ装置Ｄは、サブウーハースピーカ装置Ｃの送信部２９から送信されてきた電波をアンテナａ２で受信してＡＡＦＳ方式で変調された音声信号をＡＡＦＳ方式で復調するモジュール化された受信部３０と、この受信部３０からの音声信号を増幅する２系統の音声信号アンプ３１と、この音声信号アンプ３１からのＬｃｈの音声信号を入力して音声化するＳＬ用スピーカ（背面サラウンド用左側スピーカ）Ｉと、同じく音声信号アンプ３１からのＲｃｈの音声信号を入力して音声化するＳＲ用スピーカ（背面サラウンド用右側スピーカ）Ｊとを備えている。
【００５９】
図４は図３中の送信部の基本構成を示すブロック図である。図４において、送信部２９は、ＡＶレシーバＢ（図２参照）から入力されたアナログのＳＬ音声信号およびＳＲ音声信号を、デジタルのＳＬ音声信号およびＳＲ音声信号に変換するＡ／Ｄ変換回路２９ａと、このＡ／Ｄ変換回路２９ａからのデジタルのＳＬ音声信号およびＳＲ音声信号をそれぞれ例えば１：４に圧縮し、例えば、２.４５ＧＨｚ帯域の信号に変調（この場合、スペクトラム拡散するＡＡＦＳ方式による変調）を行うスペクトラム拡散変調処理回路２９ｂと、このスペクトラム拡散変調処理回路２９ｂからのＳＬ変調音声信号およびＳＲ変調音声信号を増幅する増幅回路２９ｃと、この増幅回路２９ｃからのＳＬ変調音声信号およびＳＲ変調音声信号を電力増幅してアンテナａ１から電波として送信する送信回路２９ｄとを備えている。これらの回路は、モジュール化され、送信部２９の回路を実装した送信用基板がサブウーハースピーカ装置Ｃに取り付けられる。
【００６０】
図５は図３中の受信部の基本構成を示すブロック図である。図５において、受信部３０は、送信部２９から送信されてきたＳＬ変調音声信号およびＳＲ変調音声信号を受信する受信回路３０ａと、この受信回路３０ａで受信したＳＬ変調音声信号およびＳＲ変調音声信号を増幅する増幅回路３０ｂと、この増幅回路３０ｂからのＳＬ変調音声信号およびＳＲ変調音声信号をそれぞれ例えば４：１に伸長してＡＡＦＣ方式による復調を行ってデジタルのＳＬ音声信号およびＳＲ音声信号を出力するスペクトラム拡散復調処理回路３０ｃと、このスペクトラム拡散復調処理回路３０ｃからのデジタルのＳＬ音声信号およびＳＲ音声信号をアナログのＳＬ音声信号およびＳＲ音声信号に変換するＤ／Ａ変換回路３０ｄとを備えている。これらの回路は、モジュール化され、受信部３０の回路を実装した受信用基板がリアスピーカ装置Ｄに取り付けられる。
【００６１】
本実施形態の特徴として、送信部２９は、Ａ／Ｄ変換回路２９ａとスペクトラム拡散変調処理回路２９ｂと増幅回路２９ｃと送信回路２９ｄを含み、モジュール化され、サブウーハースピーカ装置Ｃに設けられ、このサブウーハースピーカ装置ＣからＳＬ変調音声信号およびＳＲ変調音声信号を電波でリアスピーカ装置Ｄに送信している。サブウーハースピーカ装置Ｃは、任意の位置にサブウーハースピーカ装置を配置できるので、サブウーハースピーカ装置Ｃから電波がリアスピーカ装置Ｄに十分に届くようにサブウーハースピーカ装置Ｃを配置することができ、また、送信部２９はモジュール化されているので、送信部２９の回路基板は小さくて済み、サブウーハースピーカ装置Ｃ内の空いているスペースに設けることができる。
【００６２】
なお、本実施形態では、送信部２９をサブウーハースピーカ装置Ｃに設けたが、送信部２９をＤＶＤプレーヤＡやＡＶレシーバＢに設けることも可能であるが、ＤＶＤプレーヤＡやＡＶレシーバＢの内部の回路構成が複雑化する傾向もあり、また、ＤＶＤプレーヤＡやＡＶレシーバＢは、送信部２９からの電波がリアスピーカ装置Ｄに効率良く届くように任意の場所には配置できないので、送信部２９は、サブウーハースピーカ装置Ｃに設けた方が好ましい場合がある。
【００６３】
また、本実施形態の特徴として、受信部３０は、受信回路３０ａと増幅回路３０ｂとスペクトラム拡散復調処理回路３０ｃとＤ／Ａ変換回路３０ｄを含み、モジュール化され、リアスピーカ装置Ｄに設けられ、サブウーハースピーカ装置Ｃから電波で送信されてきたＳＬ変調音声信号およびＳＲ変調音声信号を受信するようにしている。したがって、受信部３０のモジュール化により、リアスピーカ装置Ｄの空きスペースに設けることができ、また、受信部３０は、２系統の音声信号を出力することができるので、１個のリアスピーカ装置Ｄ内に２個のスピーカ（ＳＬ用スピーカとＳＲ用スピーカ）を収めることができ、リアスピーカ装置としては従来のように２個のリアスピーカ装置を設ける必要がなくなり、これにより、スピーカボックスも１つで済み、この分、コストダウンも図れる。また、従来のようにリアスピーカ装置が２個あれば、部屋のスペースも余分にとるが、本実施形態のようにリアスピーカ装置が１個であれば、配置するスペースも少なくて済み、部屋のスペースを有効に活用することもできる。
【００６４】
図６は前記実施形態においてＤＶＤプレーヤとオーディオシステムが室内にて配置されている状態の一例を示す配置図である。
【００６５】
図６において、６０はＤＶＤプレーヤとオーディオシステムが配置されている室内を示し、６１は視聴者を示す。室内６０において、視聴者６１から見て、前面中央には、ＤＶＤプレーヤＡとＣＥＮ用スピーカＨとＴＶモニタＫが配置され、前面中央付近には、ＤＶＤプレーヤＡを挟んで、左側にＡＶレシーバＢが配置され、右側にサブウーハースピーカＧを含むサブウーハースピーカ装置Ｃが配置されている。また、前面左側には、ＦＬ用スピーカＥが配置され、前面右側には、ＦＲ用スピーカＦが配置されている。更に、視聴者６１の背後には、ＳＬ用スピーカＩおよびＳＲ用スピーカＪを含むリアスピーカ装置Ｄが配置されている。
【００６６】
ＤＶＤプレーヤＡのＡＶレシーバ用音声出力端子は、ＡＶレシーバＢの音声入力端子に所定の音声用ケーブルを介して接続されている。ＤＶＤプレーヤＡの映像出力端子は、ＴＶモニタＫの映像入力端子に所定の映像用ケーブルを介して接続されている。ＤＶＤプレーヤＡのＴＶ用音声出力端子は、ＴＶモニタＫの音声入力端子に所定の音声用ケーブルを介して接続されている。ＡＶレシーバＢの音声出力端子は、サブウーハースピーカ装置Ｃの音声入力端子に所定の音声ケーブルを介して接続されている。サブウーハースピーカ装置Ｃの音声出力端子は、それぞれ所定の音声ケーブルを介してＦＬ用スピーカＥおよびＦＲ用スピーカＦに接続されている。なお、サブウーハースピーカ装置Ｃは、任意の場所に配置することができる。
【００６７】
以上説明したように、ＦＬ用スピーカＥ、ＦＲ用スピーカＦ、サブウーハースピーカＧ、ＣＥＮ用スピーカＨ、ＳＬ用スピーカＩ、およびＳＲ用スピーカＪを、室内６０に配置することにより、５.１ｃｈのホームシアターを実現することができる。
【図面の簡単な説明】
【００６８】
【図１】本発明の一実施形態に係るオーディオシステムに接続されるＤＶＤプレーヤの構成を示す回路ブロック図である。
【図２】前記実施形態のオーディオシステムに含まれる音声生成装置としてのＡＶレシーバの構成を示す回路ブロック図である。
【図３】前記実施形態のオーディオシステムに含まれるサブウーハ−スピーカ装置およびリアスピーカ装置の構成を示す回路ブロック図である。
【図４】前記実施形態のオーディオシステムに含まれるサブウーハ−スピーカ装置内の送信部の構成を示すブロック図である。
【図５】前記実施形態のオーディオシステムに含まれるリアスピーカ装置内の受信部の構成を示すブロック図である。
【図６】前記実施形態においてＤＶＤプレーヤとオーディオシステムが室内にて配置されている状態の一例を示す配置図である。
【符号の説明】
【００６９】
Ａ    ＤＶＤプレーヤ（再生装置）
Ｂ    ＡＶレシーバ（音声生成装置）
Ｃ    サブウーハ−スピーカ装置
Ｄ    リアスピーカ装置
Ｅ    ＦＬ用スピーカ（前面左側用スピーカ）
Ｆ    ＦＲ用スピーカ（前面右側用スピーカ）
Ｇ    ＣＥＮ用スピーカ（前面中央用スピーカ）
Ｈ    ＳＷ用スピーカ（サブウーハ−用スピーカ）
Ｉ    ＳＬ用スピーカ（背面左側用スピーカ）
Ｊ    ＳＲ用スピーカ（背面右側用スピーカ）
２５    チューナ
２７，２８    音声信号アンプ（音声増幅回路）
２９    送信部
３０    受信部
３１    音声信号アンプ（リアスピーカ用音声増幅回路）
【図１】
2007134943.tif 000003
【図２】
2007134943.tif 000004
【図３】
2007134943.tif 000005
【図４】
2007134943.tif 000006
【図５】
2007134943.tif 000007
【図６】
2007134943.tif 000008